(57)【要約】【課題】複数の移動通信端末に平等に通信機会を与えることができる移動通信システムを提供すること。【解決手段】本発明にかかる移動通信システムは、移動通信装置１０及び１１と、移動通信装置１０及び１１と無線通信を行うアクセス装置２０と、アクセス装置２０を制御するアクセスゲートウェイ装置３０とを備える。アクセス装置２０は、割り当てる無線リソースが無い状態において、移動通信装置１１からアクセス要求があった場合に、既に接続されている移動通信装置１０の通信保障時間と、通信継続時間とに基づいて移動通信装置１０及び移動通信装置１１とに割り当てる無線リソースの管理を行う無線リソース管理部２１とを有するものである。【選択図】図１
2013066122.tif 000002
【特許請求の範囲】
【請求項１】
移動通信装置と、前記移動通信装置と無線通信を行うアクセス装置と、前記アクセス装置の上位装置として前記アクセス装置を制御するアクセスゲートウェイ装置とを備える移動通信システムであって、
前記アクセス装置は、
新たに割り当てる無線リソースが無い状態において、新たに第２の移動通信装置からアクセス要求があった場合に、既に接続されている第１の移動通信装置の通信保障時間と、前記第１の移動通信装置の通信継続時間とに基づいて前記第１の移動通信装置及び前記第２の移動通信装置とに割り当てる無線リソースの管理を行う無線リソース管理部を有する、移動通信システム。
【請求項２】
前記アクセスゲートウェイ装置は、
前記第１の移動通信装置からアクセス要求があった場合に、前記第１の移動通信装置における通信保障時間を決定する通信保障時間決定部を有する、請求項１に記載の移動通信システム。
【請求項３】
前記通信保障時間は、
前記第１の移動通信装置の加入者情報に基づいて決定される、請求項１又は２に記載の移動通信システム。
【請求項４】
前記アクセス装置は、
前記第１の移動通信装置の通信継続時間が、前記第１の移動通信装置における通信保障時間を超えている場合に、前記第１の移動通信装置に割り当てている無線リソースを解放し、前記第２の移動通信装置に前記開放された無線リソースを割り当てる、請求項１乃至３のいずれか１項に記載の移動通信システム。
【請求項５】
前記アクセス装置は、
前記第１の移動通信装置の通信継続時間が、前記第１の移動通信装置における通信保障時間を超えていない場合に、前記第２の移動通信装置に対して接続を拒否するメッセージを送信する、請求項１乃至４のいずれか１項に記載の移動通信システム。
【請求項６】
前記アクセス装置は、
前記第１の移動通信装置に割り当てている無線リソースを解放する際に、次に前記第１の移動通信装置が次回アクセスするまでの時間を規定した第１のアクセス待ち時間に関する情報を前記第１の移動通信装置に通知する、請求項４に記載の移動通信システム。
【請求項７】
前記アクセス装置は、
前記第２の移動通信装置に対して接続を拒否するメッセージを送信する際に、次に前記第２の移動通信装置が次回アクセスするまでの時間を規定した第２のアクセス待ち時間に関する情報を前記第２の移動通信装置に通知する、請求項５に記載の移動通信システム。
【請求項８】
移動通信装置と上位装置であるアクセスゲートウェイ装置との間に備えられるアクセス装置であって、
新たに割り当てる無線リソースがない状態において、新たに移動通信装置からアクセス要求があった場合に、既に接続されている移動通信装置の通信保障時間と、前記既に接続されている移動通信装置の通信継続時間とに基づいて、前記新たにアクセス要求を行った移動通信装置と、前記既に接続されている移動通信装置とに割り当てる無線リソースの管理を行う無線リソース管理部を備える、アクセス装置。
【請求項９】
新たに割り当てる無線リソースがない状態において、新たに移動通信装置からアクセス要求があった場合に、既に接続されている移動通信装置の通信保障時間と、前記既に接続されている移動通信装置の通信継続時間とに基づいて、前記新たにアクセス要求を行った移動通信装置と、前記既に接続されている移動通信装置とに割り当てる無線リソースを調整するステップを備える無線リソース管理方法。
【請求項１０】
新たに割り当てる無線リソースがない状態において、新たに移動通信装置からアクセス要求があった場合に、既に接続されている移動通信装置の通信保障時間と、前記既に接続されている移動通信装置の通信継続時間とに基づいて、前記新たにアクセス要求を行った移動通信装置と、前記既に接続されている移動通信装置とに割り当てる無線リソースを調整するステップをコンピュータに実行させるプログラム。
【発明の詳細な説明】
【技術分野】
【０００１】
本発明は移動通信システムに関し、特に移動通信装置に対して割り当てる無線リソースの制御を行う移動通信システムに関する。
【背景技術】
【０００２】
移動通信システムにおいて、通信端末は、基地局との間において予め定められた無線方式を用いて無線通信を行う。ここで、一般的な移動通信システムの構成として、非特許文献１に記載されている通信システムについて説明する。図９に示すように、非特許文献１に開示されている通信システムは、ｅＮｏｄｅＢ１１０と、ＭＭＥ１２０と、Ｓｅｒｖｉｎｇ ＧＷ１３０と、ＰＤＮ ＧＷ１４０とから構成されている。
【０００３】
ｅＮｏｄｅＢ１１０は、Ｌｏｎｇ Ｔｅｒｍ Ｅｖｏｌｕｔｉｏｎ（LTE）という無線アクセス方式を用いて、通信端末に通信システムへのコネクティビティを提供する無線アクセス装置である。
【０００４】
ＭＭＥ１２０は、認証やｅＮｏｄｅＢ間ハンドオーバなど、通信端末がｅＮｏｄｅＢ１２０を介してモバイルサービスを享受するための制御を行う制御装置である。ＳｅｒｖｉｎｇＧＷ１３０は、通信端末がデータ通信を行うための通信路であるベアラを提供する装置である。ＳｅｒｖｉｎｇＧＷ１３０は、ベアラを提供するため、ｅＮｏｄｅＢ１１０とＰＤＮ ＧＷ１４０との間にパケット転送用のトンネルを構築する。
【０００５】
ＰＤＮ ＧＷ１４０は、通信端末がパケット通信を行うための通信路であるベアラを終端する装置である。ＰＤＮ ＧＷ１４０は、ベアラを提供するため、ＳｅｒｖｉｎｇＧＷとパケット転送用のトンネルを構築する。
【０００６】
図９記載の通信システム１に通信端末１００が接続して、データ通信を行っている状態において、通信端末１０１がデータ通信の開始を試みる手順を図１０に示す。はじめに、通信端末１００はｅＮｏｄｅＢ１１０を介してデータ通信を行っている（Ｓ１０１）。このとき、通信端末１００は大量のデータ通信を行っていて、ｅＮｏｄｅＢ１１０の無線リソースを使い切っている状態とする。その後、通信端末１０１がｅＮｏｄｅＢ１１０を介してデータ通信を開始するため、ＳｅｒｖｉｃｅＲｅｑｕｅｓｔメッセージを送信する（Ｓ１０２）。これにより、通信端末１０１は、通信端末１０１とＳｅｒｖｉｎｇＧＷ１３０との間のベアラを再構築しようと試みる。
【０００７】
ＭＭＥ１２０は、Ｓｅｒｖｉｃｅ Ｒｅｑｕｅｓｔメッセージを受信すると、通信端末１０１用のベアラを確保するため、Ｉｎｉｔｉａｌ Ｃｏｎｔｅｘｔ Ｓｅｔｕｐ ＲｅｑｕｅｓｔをｅＮｏｄｅＢ１１０に送信する（Ｓ１０３）。
【０００８】
ｅＮｏｄｅＢ１１０は通信端末１０１に無線リソースの割り当てが可能か否かチェックを行う（Ｓ１０４）。しかし、ｅＮｏｄｅＢ１１０の無線リソースは、通信端末１００によって使い切られている。そのため、ｅＮｏｄｅＢ１１０は、通信端末１０１に無線リソースを割り当てることが出来ない。そのため、ｅＮｏｄｅＢ１１０は、通信端末１０１のベアラ再構築失敗を通知するため、Ｉｎｉｔｉａｌ Ｃｏｎｔｅｘｔ Ｓｅｔｕｐ ＦａｉｌｕｒｅメッセージをＭＭＥ１２０に送信する（Ｓ１０５）。ＭＭＥ１２０はＩｎｉｔｉａｌ Ｃｏｎｔｅｘｔ Ｓｅｔｕｐ Ｆａｉｌｕｒｅメッセージを受信すると、Ｓｅｒｖｉｃｅ Ｒｅｊｅｃｔを送信して、通信端末１０１にベアラの再構築失敗を通知する（Ｓ１０６）。
【先行技術文献】
【特許文献】
【０００９】
【特許文献１】特開昭６０−１８３８６５号公報
【非特許文献】
【００１０】
【非特許文献１】3GPP TR 23.401 V10.4.0"General Packet Radio Service (GPRS) enhancements for Evolved Universal Terrestrial Radio Access Network (E-UTRAN) access"、[平成２３年６月２０日検索]、インターネット< http://www.3gpp.org/ftp/Specs/html-info/23401.htm>
【発明の概要】
【発明が解決しようとする課題】
【００１１】
しかし、上述した移動通信システムは、通信リソースが逼迫している際に、平等に通信機会を複数の通信端末に与えることができないという問題がある。なぜなら、通信リソース割り当ての優先度が同じ複数の通信端末がある場合に、先に通信リソースを割り当ててもらった通信端末が、長時間通信リソースを占有してしまうことにより、別の通信端末に通信リソースを割り当てることが出来ないからである。
【００１２】
これに対して、特許文献１には、有線通信において用いられる回線交換機において、予約サービスを提供するためのチャネル予約方法が開示されている。特許文献１における回線交換機は、回線交換機のチャネルを予約している予約端末の予約呼が起動された場合に、空きチャネルが不足していると、通信中の呼を切断することによって空きチャネルを生成し、その空きチャネルを予約呼用として使用する。
【００１３】
しかし、特許文献１に開示されている手法は、事前に発生することが判明している予約呼を対象とした手法であるため、事前に発生が予測できない即時呼にはそのまま適用することはできない。
【００１４】
本発明は、このような問題を解決するために、複数の移動通信端末に平等に通信機会を与えることができる移動通信システム、アクセス装置、無線リソース管理方法及びプログラムを提供することを目的とする。
【課題を解決するための手段】
【００１５】
本発明の第１の態様にかかる移動通信システムは、移動通信装置と、前記移動通信装置と無線通信を行うアクセス装置と、前記アクセス装置の上位装置として前記アクセス装置を制御するアクセスゲートウェイ装置とを備える移動通信システムであって、前記アクセス装置は、新たに割り当てる無線リソースが無い状態において、新たに第２の移動通信装置からアクセス要求があった場合に、既に接続されている第１の移動通信装置の通信保障時間と、前記第１の移動通信装置の通信継続時間とに基づいて前記第１の移動通信装置及び前記第２の移動通信装置とに割り当てる無線リソースの管理を行う無線リソース管理部を有するものである。
【００１６】
本発明の第２の態様にかかるアクセス装置は、移動通信装置と上位装置であるアクセスゲートウェイ装置との間に備えられるアクセス装置であって、新たに割り当てる無線リソースがない状態において、新たに移動通信装置からアクセス要求があった場合に、既に接続されている移動通信装置の通信保障時間と、前記既に接続されている移動通信装置の通信継続時間とに基づいて、前記新たにアクセス要求を行った移動通信装置と、前記既に接続されている移動通信装置とに割り当てる無線リソースの管理を行う無線リソース管理部を備えるものである。
【００１７】
本発明の第３の態様にかかる無線リソース管理方法は、新たに割り当てる無線リソースがない状態において、新たに移動通信装置からアクセス要求があった場合に、既に接続されている移動通信装置の通信保障時間と、前記既に接続されている移動通信装置の通信継続時間とに基づいて、前記新たにアクセス要求を行った移動通信装置と、前記既に接続されている移動通信装置とに割り当てる無線リソースを調整するステップを備えるものである。
【００１８】
本発明の第４の態様にかかるプログラムは、新たに割り当てる無線リソースがない状態において、新たに移動通信装置からアクセス要求があった場合に、既に接続されている移動通信装置の通信保障時間と、前記既に接続されている移動通信装置の通信継続時間とに基づいて、前記新たにアクセス要求を行った移動通信装置と、前記既に接続されている移動通信装置とに割り当てる無線リソースを調整するステップをコンピュータに実行させるものである。
【発明の効果】
【００１９】
本発明により、複数の移動通信端末に平等に通信機会を与えることができる移動通信システム、アクセス装置、無線リソース管理方法及びプログラムを提供することができる。
【図面の簡単な説明】
【００２０】
【図１】実施の形態１にかかる移動通信システムの構成図である。
【図２】実施の形態１にかかる移動通信システムの構成図である。
【図３】実施の形態１にかかるアクセス装置の構成図である。
【図４】実施の形態１にかかる移動通信システムのベアラ再構築処理のシーケンスである。
【図５】実施の形態１にかかるアクセス装置の無線ベアラ生成要求メッセージ受信時の処理フローである。
【図６】実施の形態２にかかるアクセス装置の無線ベアラ生成要求メッセージ受信時の処理フローである。
【図７】実施の形態３にかかる移動通信システムの構成図である。
【図８】実施の形態３にかかる移動通信システムのベアラ再構築処理のシーケンスである。
【図９】非特許文献１に開示されている通信システムの構成図である。
【図１０】非特許文献１に開示されている通信システムのベアラ再構築処理のシーケンスある。
【発明を実施するための形態】
【００２１】
（実施の形態１）
以下、図面を参照して本発明の実施の形態について説明する。はじめに、図１を用いて本発明の実施の形態１にかかる移動通信システムの構成例について説明する。移動通信システムは、移動通信装置１０及び１１と、アクセス装置２０と、アクセスゲートウェイ装置３０とを備えている。また、アクセス装置２０は、無線リソース管理部２１を有している。
【００２２】
移動通信装置１０及び１１は、アクセス装置２０と無線通信を行う。アクセスゲートウェイ装置３０は、アクセス装置２０の上位装置としてアクセス装置２０を制御する。アクセスゲートウェイ装置３０は、複数のアクセス装置２０を制御する。
【００２３】
移動通信システムにおいては、移動通信装置が移動し、無線通信を行うアクセス装置２０が変更された場合においても、通信を維持することが必要となる。そのために、複数のアクセス装置を管理しもしくは制御する上位装置が必要となる。これより、アクセスゲートウェイ装置３０は、上位装置として複数のアクセス装置を制御するように配置される。
【００２４】
アクセスゲートウェイ装置３０は、移動通信装置１０からのアクセス要求を受け付け、移動通信装置１０とアクセスゲートウェイ装置３０との間に通信路を生成する。ここで、移動通信装置１０とアクセスゲートウェイ装置３０との間に生成される通信路は、ベアラと称されてもよい。無線区間におけるベアラを特に無線ベアラと称する。
【００２５】
アクセス装置２０は、複数の移動通信装置と無線通信を行う。アクセス装置２０は、予め定められた無線アクセス方式を用いて、移動通信装置に対してネットワークへのコネクティビティを提供する無線アクセス機能を有する。無線通信を行う際に、それぞれの移動通信装置に対して割り当てる無線リソースは有限である。そのため、新たな移動通信装置１１からアクセス要求を受け付けた場合に、割り当てる無線リソースがない事象が発生し得る。このような場合に、アクセス装置２０の無線リソース管理部２１は、移動通信装置１０を含む複数の移動通信装置の通信継続時間と、通信保障時間とに基づいて、新たにアクセス要求を行った移動通信装置１１を含む複数の移動通信装置に割り当てる無線リソースの管理を行う。通信保障時間は、移動通信装置１０に対して通信を許可する最低限の時間である。例えば、通信保障時間は、移動通信装置１０とアクセスゲートウェイ装置３０との間に生成される通信路の維持を保障する最低限の時間である。
【００２６】
通信継続時間は、例えば、移動通信装置とアクセスゲートウェイ装置３０との間に通信路が生成されてから現在に至るまでの時間を示す。この場合、移動通信装置が、実際にデータの送受信を行っていない場合であっても、通信路が維持されている間は、通信継続時間に含まれる。
【００２７】
以上説明したように、図１の移動通信システムを用いることにより、新たな移動通信装置１１がアクセス装置２０に対してアクセス要求を行った際に、割り当てる無線リソースがない場合においても、アクセス装置２０と無線通信を行っているそれぞれの移動通信装置の通信保障時間及び通信継続時間に基づいて無線リソースの管理を行うことができる。このようにして無線リソースの管理を行うことにより、新たにアクセス要求を行ってきた移動通信装置１１に対しても無線リソースの割り当てを行うことができるようになり、移動通信装置１１と無線通信を行うことができる。これにより、アクセス装置２０の管理するエリアに位置する移動通信端末に対して、平等に通信機会を与えることができる。
【００２８】
続いて、図２を用いて本発明の実施の形態１にかかる移動通信システムの詳細な構成例について説明する。図２の移動通信システムは、移動通信装置１０及び１１と、アクセス装置２０と、アクセスゲートウェイ装置３０と、モバイルアンカー装置４０とを備えている。アクセスゲートウェイ装置３０は、Ｃ−ｐｌａｎｅ機能部３２と、Ｕ−ｐｌａｎｅ機能部３３とを有している。また、Ｃ−ｐｌａｎｅ機能部３２は、通信保障時間決定部３１を有している。移動通信装置１０及び１１と、アクセス装置２０とは、図１において説明した機能と同一の機能を有するため、詳細な説明を省略する。
【００２９】
Ｃ−ｐｌａｎｅ機能部３２は、アクセス装置２０へアクセス要求を行う移動通信装置１０及び１１の認証処理や、ハンドオーバ制御を実行する。認証処理は、移動通信装置１０及び１１から移動通信ネットワークに対してアクセスがあった場合に、そのアクセスを許可するか否かを判定する処理である。また、ハンドオーバ制御には、アクセス装置２０の管理するエリアから他のアクセス装置が管理するエリアへ移動する移動通信装置もしくは他のアクセス装置が管理するエリアからアクセス装置２０の管理するエリアへ移動する移動通信装置に対するデータ転送等が含まれる。
【００３０】
また、Ｃ−ｐｌａｎｅ機能部３２は、通信保障時間決定部３１を有している。通信保障時間決定部３１は、アクセス装置２０に接続される移動通信装置からアクセス要求があった場合に、アクセス装置２０に接続される移動通信装置に対する通信保障時間を決定する。通信保障時間として、アクセス装置２０に接続される複数の移動通信装置に対して同じ値が用いられてもよい。又は、通信保障時間として、アクセス装置２０に接続される複数の移動通信装置毎に異なる値が用いられてもよい。移動通信装置毎に異なる通信保障時間が用いられる場合、加入者情報を管理するサーバにおいて移動通信装置毎の通信保障時間を管理しておき、移動通信装置１０からのアクセス要求があった際に、アクセスゲートウェイ装置３０は、移動通信装置１０に該当する通信保障時間を抽出してもよい。さらに、移動通信装置毎に異なる通信保障時間が用いられる場合、それぞれの移動通信装置に設定されている優先度に応じて通信保障時間が決定されてもよい。例えば、通信の優先度が高い移動通信装置は、通信保障時間が他の移動通信装置より長く設定されてもよい。また、それぞれの移動通信装置を利用する加入者の契約情報として、通信保障時間が設定されてもよい。
【００３１】
Ｕ−ｐｌａｎｅ機能部３３は、移動通信装置１０又は１１に対して、移動通信装置１０がパケット通信を行うためのベアラを提供する。具体的には、移動通信装置１０又は１１と、アクセスゲートウェイ装置３０との間のベアラ及びアクセスゲートウェイ装置３０とモバイルアンカー装置４０との間のベアラを設定する。ベアラは、パケット転送用のトンネルとして用いられる。
【００３２】
モバイルアンカー装置４０は、移動通信装置１０又は１１のために用いられるベアラを終端する。モバイルアンカー装置４０は、Ｕ−ｐｌａｎｅ機能部３３との間に、ベアラを設定する。
【００３３】
続いて、図３を用いて本発明の実施の形態１にかかるアクセス装置２０の構成例について説明する。アクセス装置２０は、無線リソース管理部２１と、アクセス管理部２２と、パケット転送部２３と、を備えている。
【００３４】
無線リソース管理部２１は、無線リソースの状態を管理している。例えば、使用中の無線リソース量や、空いている無線リソース量を管理している。さらに、無線リソース管理部２１は、移動通信装置毎に、割り当てている無線リソース量を管理している。
【００３５】
アクセス管理部２２は、Ｃ−ｐｌａｎｅ機能部３２と連携して、移動通信装置１０及び１１からアクセス装置２０に対して行われるアクセスに対して、アクセス制御を行う。さらに、アクセス管理部２２は、移動通信装置１０とアクセス装置２０との間、移動通信装置１１とアクセス装置２０との間における無線ベアラの管理を行う。さらに、アクセス管理部２２は、ハンドオーバ処理を実行する。
【００３６】
無線ベアラの管理には、アクセス要求を行ってきた移動通信装置に対する新規の無線ベアラ生成処理や、一定期間通信が行われていない無線ベアラの解放処理、無線ベアラの通信継続時間管理等が含まれる。
【００３７】
アクセス管理部２２は、新たにアクセス要求を行ってきた移動通信装置に対して割り当てる無線リソースがない場合、通信機会の平等化を図るために、次のようにして無線リソースの割り当てを行う。アクセス管理部２２は、それぞれの移動通信装置との間に設定されている無線ベアラの通信継続時間と、通信保障時間とを比較する。さらに、アクセス管理部２２は、無線ベアラの通信継続時間が通信保障時間を超えている移動通信端末を抽出し、その中でも通信継続時間が長い移動通信装置との無線ベアラを解放し、その移動通信装置に割り当てている無線リソースを解放する。アクセス管理部２２は、このようにして確保された無線リソースを、新たにアクセス要求を行ってきた移動通信装置に対して割り当てる。
【００３８】
通信保障時間は、アクセスゲートウェイ装置３０から出力され、アクセス管理部２２に設定される。
【００３９】
ハンドオーバ処理は、アクセス装置２０とは異なるアクセス装置が管理するエリアへ移動する移動通信装置との間に設定されている無線ベアラ解放処理や、アクセス装置２０の管理するエリアへ移動してきた移動通信装置との間における新たな無線ベアラ設定処理等が含まれる。
【００４０】
パケット転送部２３は、アクセス管理部２２及びアクセスゲートウェイ装置３０の通信保障時間決定部３１において構築された移動通信装置１０とアクセスゲートウェイ装置３０との間のベアラを用いて、移動通信装置１０が送受信するデータパケットの転送を行う。
【００４１】
続いて、図４を用いて本発明の実施の形態１にかかる移動通信システム全体の処理動作の流れについて説明する。図４は、移動通信装置１０によって無線リソースを大量に消費されているアクセス装置２０に対して、スリープ状態に遷移している移動通信装置１１がベアラを再構築しようと試みる動作を示している。なお、図４の動作においては、移動通信装置１０は、アクセス装置２０に設定されている通信保障時間よりも長くベアラを維持し続けているとする。
【００４２】
はじめに、移動通信装置１０は、移動通信装置１０とモバイルアンカー装置４０との間に設定されたベアラを用いてデータ通信を行っている（Ｓ１）。次に、移動通信装置１１は、アクセス装置２０を介してデータ通信を開始するために、Ｃ−ｐｌａｎｅ機能部３２に対してベアラ再構築要求メッセージを送信して、移動通信装置１１とアクセスゲートウェイ装置３０との間のベアラを再構築しようと試みる（Ｓ２）。
【００４３】
次に、Ｃ−ｐｌａｎｅ機能部３２は、ベアラ再構築要求メッセージを受け取ると、移動通信装置１１に対するベアラを確保するために、アクセス装置２０へ無線ベアラ生成要求メッセージを送信する（Ｓ３）。ここで、アクセス装置２０は、無線ベアラ生成要求メッセージを受け取ると、移動通信装置１１に対して無線リソースの割り当てが可能か否かを判定する。本図においては、移動通信装置１０がアクセス装置２０の無線リソースを大量に消費しているという前提であるため、アクセス装置２０は、移動通信装置１１に対して無線リソースの割り当てを行うことができないと判定する。さらに、本図においては、移動通信装置１０は、通信保障時間よりも長くベアラを維持している。この場合、アクセス装置２０は、移動通信装置１０の無線ベアラを開放するため、Ｃ−ｐｌａｎｅ機能部３２に対して、無線ベアラ解放要求メッセージを送信する（Ｓ４）。
【００４４】
Ｃ−ｐｌａｎｅ機能部３２は、無線ベアラ解放要求メッセージを受け取ると、Ｕ−ｐｌａｎｅ機能部３３に対してアクセス装置２０とモバイルアンカー装置４０との間のベアラを解放するようベアラ解放命令メッセージを送信する（Ｓ５）。さらに、Ｃ−ｐｌａｎｅ機能部３２は、アクセス装置２０に対して、移動通信装置１０とアクセス装置２０との間の無線ベアラを解放するよう無線ベアラ解放命令メッセージを送信する（Ｓ６）。
【００４５】
アクセス装置２０は、無線ベアラ解放メッセージを受け取ると、移動通信装置１０とアクセス装置２０との間に設定されている無線ベアラの解放処理を行う（Ｓ７）。ここで、アクセス装置２０は、移動通信装置１０との間に設定されている無線ベアラの解放処理を行う際に、移動通信装置１０に対してアクセス待ち時間を通知してもよい。アクセス待ち時間は、無線ベアラが解放されてから、移動通信装置１０が再度アクセスを試みるまでに空けなければならない時間である。アクセス装置２０から移動通信装置１０に対してアクセス待ち時間を通知することにより、無線ベアラを切断された移動通信装置１０がすぐに接続を試みることを制限することができる。これにより、移動通信装置１０からの過剰な接続要求によるアクセス装置２０の処理負担を軽減することができる。
【００４６】
次に、アクセス装置２０は、Ｃ−ｐｌａｎｅ機能部３２に対して、無線ベアラの解放応答メッセージを送信する（Ｓ８）。次に、アクセス装置２０は、移動通信装置１０との間の無線ベアラが解放され、空いた無線リソースを用いて移動通信装置１１との間の無線ベアラを生成する（Ｓ９）。アクセス装置２０は、移動通信装置１１との間に無線ベアラを生成すると、Ｃ−ｐｌａｎｅ機能部３２に対して無線ベアラ生成応答メッセージを送信する（Ｓ１０）。Ｃ−ｐｌａｎｅ機能部３２は、無線ベアラ生成応答メッセージを受け取ると、アクセス装置２０とモバイルアンカー装置４０との間にベアラを生成する（Ｓ１１）。
【００４７】
Ｃ−ｐｌａｎｅ機能部３２は、移動通信装置１１とモバイルアンカー装置４０との間のベアラ生成を完了すると、移動通信装置１１に対してベアラ再構築応答メッセージを送信する（Ｓ１２）。
【００４８】
続いて、図５を用いて本発明の実施の形態１にかかるアクセス装置２０における無線ベアラ生成要求メッセージ受信時の処理の流れについて説明する。はじめに、アクセス装置２０は、Ｃ−ｐｌａｎｅ機能部３２から無線ベアラ生成要求メッセージを受信する（Ｓ２１）。次に、無線リソース管理部２１は、空きリソースを用いて、要求された無線ベアラを生成することができるか否かを判定する（Ｓ２２）。無線リソース管理部２１において、無線ベアラを生成することができると判定された場合、アクセス管理部２２は、無線ベアラ生成処理を実行する（Ｓ２３）。
【００４９】
ステップＳ２２において、無線ベアラを生成することができないと判定された場合、アクセス管理部２２は、通信保障時間よりも長く継続されているベアラの存在の有無を確認する（Ｓ２４）。アクセス管理部２２は、通信保障時間よりも長く継続されているベアラが無いと判定した場合、移動通信装置１１との間に無線ベアラを生成することができない旨をＣ−ｐｌａｎｅ機能部３２へ通知する（Ｓ２５）。ステップＳ２４において、アクセス管理部２２は、通信保障時間よりも長く継続されている無線ベアラが有ると判定した場合、該当する移動通信装置との間の無線ベアラを開放する処理を実行する（Ｓ２６）。この場合、アクセス管理部２２は、通信保障時間よりも長く継続されている複数の無線ベアラが存在する場合、最も通信継続時間が長い無線ベアラを解放してもよい。ステップＳ２６の後、ステップＳ２２以降の処理を繰り返す。
【００５０】
図５においては、通信保障時間より長く継続されている無線ベアラが存在する場合、そのベアラを実際に開放した後に、新規要求されたベアラを受け付けることができるか否かを再度判断しているが、通信保障時間より長く継続しているベアラを解放することにより、新規要求されたベアラを受け付けることができると判定してから、通信保障時間よりも長く継続しているベアラを解放してもよい。
【００５１】
また、ステップＳ２５において、無線ベアラを生成することができない旨の通知を受けたＣ−ｐｌａｎｅ機能部３２は、移動通信装置１１からのベアラ再構築要求メッセージに対して、ベアラ再構築要求を拒否することを通知する。この場合に、Ｃ−ｐｌａｎｅ機能部３２は、ベアラ再構築要求を拒否する旨の情報と共に、アクセス待ち時間を移動通信装置１１に対して通知してもよい。さらに、図４のステップＳ７において無線ベアラを開放する際に移動通信装置１０に対して通知されるアクセス待ち時間よりも、図５のステップＳ２５以降に、Ｃ−ｐｌａｎｅ機能部３２から移動通信装置１０に対して通知されるアクセス待ち時間を短くしてもよい。このようにすることにより、通信を行っていない移動通信装置が、優先的に通信開始を試みることができる。
【００５２】
以上説明したように、本発明の実施の形態１の移動通信システムを用いることにより、アクセス装置２０の上位装置であるアクセスゲートウェイ装置３０において、アクセス装置２０と無線通信を行う移動通信装置１０に対する通信保障時間を決定することができる。これにより、移動通信装置１０が移動することにより、アクセス装置２０以外のアクセス装置と接続されることとなった場合においても、上位装置であるアクセスゲートウェイ装置３０に通信保障時間に関する情報が保持されているため、新たなアクセス装置は、アクセスゲートウェイ装置３０から、新たなアクセス装置の管理エリアに移動してきた移動通信装置１０に関する通信保障時間を受け取ることができる。
【００５３】
（実施の形態２）
続いて、図６を用いて本発明の実施の形態１にかかるアクセス装置２０における無線ベアラ生成要求メッセージ受信時の処理の流れについて説明する。ステップＳ３１〜３３は、図５におけるステップＳ２１〜２３と同一の処理を実行するため、詳細な説明を省略する。ステップＳ３２において、空き無線リソースを用いて、要求された無線ベアラを生成することができないと判定された場合、アクセス管理部２２は、複数の移動通信装置との間で設定されているベアラの中に、所定の基準を下回る優先度が設定されている無線ベアラがあるか否かを判定する。
【００５４】
アクセス管理部は、所定の基準を下回る優先度が設定されている無線ベアラがあると判定した場合、該当する無線ベアラを解放する処理を実行する（Ｓ３７）。ステップＳ３７以降の処理は、ステップＳ３２以降の処理を繰り返す。
【００５５】
ステップＳ３４において、アクセス管理部は、所定の基準を下回る優先度が設定されている無線ベアラがないと判定した場合、通信保障時間よりも長く継続されている無線ベアラがあるか否かを判定する。ステップＳ３５以降の処理は、図５におけるステップＳ２４以降の処理と同一であるため、詳細な説明を省略する。
【００５６】
以上説明したように、本発明の実施の形態２のアクセス装置２０における無線ベアラ生成要求メッセージ受信時の処理の流れを用いることにより、無線ベアラ間の優先度を考慮した無線ベアラの割り当て制御を行うことができる。
【００５７】
（実施の形態３）
続いて、図７を用いて本発明の実施の形態３にかかる移動通信システムの構成例について説明する。本図における移動通信システムは、移動通信装置５０及び５１と、ｅＮｏｄｅＢ６０と、ＭＭＥ７０と、Ｓｅｒｖｉｎｇ ＧＷ８０と、ＰＤＮ ＧＷ９０とを備えている。本図における移動通信システムは、無線アクセス方式としてＬＴＥを用いた場合の構成例を示している。移動通信装置５０及び５１は、図２における移動通信装置１０及び１１と同一である。ｅＮｏｄｅＢ６０は、図２におけるアクセス装置２０に対応する。ＭＭＥ７０は、図２におけるＣ−ｐｌａｎｅ機能部３２に対応する。Ｓｅｒｖｉｎｇ ＧＷ８０は、図２におけるＵ−ｐｌａｎｅ機能部３３に対応する。ＰＤＮ ＧＷ９０は、図２におけるモバイルアンカー装置４０に対応する。
【００５８】
図２においては、Ｃ−ｐｌａｎｅ機能部３２及びＵ−ｐｌａｎｅ機能部３３は、アクセスゲートウェイ装置３０内に備えられていたが、本図においては、Ｃ−ｐｌａｎｅ機能部３２と同様の機能が、ＭＭＥ７０に搭載され、Ｕ−ｐｌａｎｅ機能部３３と同様の機能が、Ｓｅｒｖｉｎｇ ＧＷ８０に搭載されている。
【００５９】
また、ｅＮｏｄｅＢ６０は、無線リソース管理部６１を有しており、ＭＭＥ７０は、通信保障時間決定部７１を有している。
【００６０】
続いて、図８を用いて本発明の実施の形態１にかかる移動通信システムの全体動作の流れについて説明する。本図においては、図４と同様に、移動通信装置１０によって無線リソースを大量に消費されているｅＮｏｄｅＢ６０に対して、スリープ状態に遷移している移動通信装置１１がベアラを再構築しようと試みる動作を示している。なお、本図の動作においては、移動通信装置１０は、ｅＮｏｄｅＢ６０に設定されている通信保障時間よりも長くベアラを維持し続けているとする。
【００６１】
はじめに、移動通信装置１０は、移動通信装置１０とＰＤＮ ＧＷ９０との間に設定されたベアラを用いてデータ通信を行っている（Ｓ２１）。次に、移動通信装置１１は、ｅＮｏｄｅＢ６０を介してデータ通信を開始するために、ＭＭＥ７０に対してＳｅｒｖｉｃｅ Ｒｅｑｕｅｓｔメッセージを送信する（Ｓ２２）。これにより、移動通信装置１１は、Ｓｅｒｖｉｎｇ ＧＷ８０との間のベアラを再構築しようと試みる。
【００６２】
次に、ＭＭＥ７０は、Ｓｅｒｖｉｃｅ Ｒｅｑｕｅｓｔメッセージを受け取ると、移動通信装置１１に対するベアラを確保するために、ｅＮｏｄｅＢ６０へＩｎｉｔｉａｌ Ｃｏｎｔｅｘｔ Ｓｅｔｕｐ Ｒｅｑｕｅｓｔメッセージを送信する（Ｓ２３）。ここで、ｅＮｏｄｅＢ６０は、Ｉｎｉｔｉａｌ Ｃｏｎｔｅｘｔ Ｓｅｔｕｐ Ｒｅｑｕｅｓｔメッセージを受け取ると、移動通信装置１１に対して無線リソースの割り当てが可能か否かを判定する。本図においては、移動通信装置１０がｅＮｏｄｅＢ６０の無線リソースを大量に消費しているという前提であるため、ｅＮｏｄｅＢ６０は、移動通信装置１１に対して無線リソースの割り当てを行うことができないと判定する。さらに、本図においては、移動通信装置１０は、通信保障時間よりも長くベアラを維持している。この場合、ｅＮｏｄｅＢ６０は、移動通信装置１０の無線ベアラを開放するため、ＭＭＥ７０に対して、Ｓ１ ＵＥ Ｃｏｎｔｅｘｔ Ｒｅｌｅａｓｅ Ｒｅｑｕｅｓｔメッセージを送信する（Ｓ２４）。
【００６３】
ＭＭＥ７０は、Ｓ１ ＵＥ Ｃｏｎｔｅｘｔ Ｒｅｌｅａｓｅ Ｒｅｑｕｅｓｔメッセージを受け取ると、Ｓｅｒｖｉｎｇ ＧＷ８０に対してｅＮｏｄｅＢ６０とＰＤＮ ＧＷ９０との間のベアラを解放するようＲｅｌｅａｓｅ Ａｃｃｅｓｓ Ｂｅａｒｅｒ Ｒｅｑｕｅｓｔ／Ｒｅｓｐｏｎｓｅメッセージを送信する（Ｓ２５）。さらに、ＭＭＥ７０は、ｅＮｏｄｅＢ６０に対して、移動通信装置１０とｅＮｏｄｅＢ６０との間の無線ベアラを解放するようＳ１ ＵＥ Ｃｏｎｔｅｘｔ Ｒｅｌｅａｓｅ Ｃｏｍｍａｎｄメッセージを送信する（Ｓ２６）。
【００６４】
ｅＮｏｄｅＢ６０は、Ｓ１ ＵＥ Ｃｏｎｔｅｘｔ Ｒｅｌｅａｓｅ Ｃｏｍｍａｎｄメッセージを受け取ると、移動通信装置１０とｅＮｏｄｅＢ６０との間に設定されている無線ベアラの解放処理（ＲＲＣ Ｃｏｎｎｅｃｔｉｏｎ Ｒｅｌｅａｓｅ）を行う（Ｓ２７）。ここで、ｅＮｏｄｅＢ６０は、移動通信装置１０との間に設定されている無線ベアラの解放処理を行う際に、移動通信装置１０に対してアクセス待ち時間を通知してもよい。
【００６５】
次に、ｅＮｏｄｅＢ６０は、ＭＭＥ７０に対して、Ｓ１ ＵＥ Ｃｏｎｔｅｘｔ Ｒｅｌｅａｓｅ Ｃｏｍｐｌｅｔｅメッセージを送信する（Ｓ２８）。次に、ｅＮｏｄｅＢ６０は、移動通信装置１０との間の無線ベアラが解放され、空いた無線リソースを用いて移動通信装置１１との間の無線ベアラの生成処理（Ｒａｄｉｏ Ｂｅａｒｅｒ Ｅｓｔａｂｌｉｓｈｍｅｎｔ）をする（Ｓ２９）。ｅＮｏｄｅＢ６０は、移動通信装置１１との間に無線ベアラを生成すると、ＭＭＥ７０に対してＩｎｉｔｉａｌ Ｃｏｎｔｅｘｔ Ｓｅｔｕｐ Ｃｏｍｐｌｅｔｅメッセージを送信する（Ｓ３０）。ＭＭＥ７０は、Ｉｎｉｔｉａｌ Ｃｏｎｔｅｘｔ Ｓｅｔｕｐ Ｃｏｍｐｌｅｔｅメッセージを受け取ると、ｅＮｏｄｅＢ６０とＰＤＮ ＧＷ９０との間にベアラを生成するために、Ｓｅｒｖｉｎｇ ＧＷ８０に対してＭｏｄｉｆｙ Ｂｅａｒｅｒ Ｒｅｑｕｅｓｔ／Ｒｅｓｐｏｎｓｅメッセージを送信する（Ｓ３１）。
【００６６】
以上説明したように、無線アクセス方式としてＬＴＥを用いた移動通信システムにおいても、本発明の実施の形態１と同様に、複数の移動通信装置に対して平等に通信機会を与えることができる。
【００６７】
なお、本発明は上記実施の形態に限られたものではなく、趣旨を逸脱しない範囲で適宜変更することが可能である。例えば、本発明の実施の形態３においても、実施の形態２において説明した優先度を用いた処理を行ってもよい。
【００６８】
例えば、上述の実施の形態では、ハードウェアの構成として説明したが、これに限定されるものではなく、図５の処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６９】
（付記１）移動通信装置と、前記移動通信装置と無線通信を行うアクセス装置と、前記アクセス装置の上位装置として前記アクセス装置を制御するアクセスゲートウェイ装置とを備える移動通信システムであって、前記アクセス装置は、新たに割り当てる無線リソースが無い状態において、新たに第２の移動通信装置からアクセス要求があった場合に、既に接続されている第１の移動通信装置の通信保障時間と、前記第１の移動通信装置の通信継続時間とに基づいて前記第１の移動通信装置及び前記第２の移動通信装置とに割り当てる無線リソースの管理を行う無線リソース管理部を有する移動通信システム。
【００７０】
（付記２）前記アクセスゲートウェイ装置は、前記第１の移動通信装置からアクセス要求があった場合に、前記第１の移動通信装置における通信保障時間を決定する通信保障時間決定部を有する、請求項１に記載の移動通信システム。
【００７１】
（付記３）前記通信保障時間は、前記第１の移動通信装置の加入者情報に基づいて決定される、付記１又は２に記載の移動通信システム。
【００７２】
（付記４）前記アクセス装置は、前記第１の移動通信装置の通信継続時間が、前記第１の移動通信装置における通信保障時間を超えている場合に、前記第１の移動通信装置に割り当てている無線リソースを解放し、前記第２の移動通信装置に前記開放された無線リソースを割り当てる、付記１乃至３のいずれか１項に記載の移動通信システム。
【００７３】
（付記５）前記アクセス装置は、前記第１の移動通信装置の通信継続時間が、前記第１の移動通信装置における通信保障時間を超えていない場合に、前記第２の移動通信装置に対して接続を拒否するメッセージを送信する、付記１乃至４のいずれか１項に記載の移動通信システム。
【００７４】
（付記６）前記アクセス装置は、前記第１の移動通信装置に割り当てている無線リソースを解放する際に、次に前記第１の移動通信装置が次回アクセスするまでの時間を規定した第１のアクセス待ち時間に関する情報を前記第１の移動通信装置に通知する、付記４に記載の移動通信システム。
【００７５】
（付記７）前記アクセス装置は、前記第２の移動通信装置に対して接続を拒否するメッセージを送信する際に、次に前記第２の移動通信装置が次回アクセスするまでの時間を規定した第２のアクセス待ち時間に関する情報を前記第２の移動通信装置に通知する、付記５に記載の移動通信システム。
【００７６】
（付記８）前記アクセス装置は、前記第１のアクセス待ち時間と前記第２のアクセス待ち時間とを異なる時間に設定する、付記７に記載の移動通信システム。
【００７７】
（付記９）前記アクセス装置は、前記第１のアクセス待ち時間よりも前記第２のアクセス待ち時間を短い時間に設定する、付記８に記載の移動通信システム。
【００７８】
（付記１０）前記アクセス装置は、前記第１の移動通信装置が移動することによって現在接続されているアクセス装置との接続を解除し他のアクセス装置と接続する場合、前記他のアクセス装置に対して前記第１の移動通信装置の通信継続時間を送信する、付記１乃至９のいずれか１項に記載の移動通信システム。
【００７９】
（付記１１）前記アクセス装置は、アクセス要求がなされた移動通信装置に対して無線リソースを割り当てることにより、前記アクセス要求がなされた移動通信装置との間に通信経路を生成する、付記１乃至１０のいずれか１項に記載の移動通信システム。
【００８０】
（付記１２）前記通信保障時間は、前記アクセス装置が設定する通信経路毎に決定される付記１１に記載の移動通信システム。
【００８１】
（付記１３）移動通信装置と上位装置であるアクセスゲートウェイ装置との間に備えられるアクセス装置であって、新たに割り当てる無線リソースがない状態において、新たに移動通信装置からアクセス要求があった場合に、既に接続されている移動通信装置の前記アクセスゲートウェイ装置において決定された通信保障時間と、前記既に接続されている移動通信装置の通信継続時間とに基づいて、前記新たにアクセス要求を行った移動通信装置と、前記既に接続されている移動通信装置とに割り当てる無線リソースの管理を行う無線リソース管理部を備える、アクセス装置。
【００８２】
（付記１４）新たに割り当てる無線リソースがない状態において、新たに移動通信装置からアクセス要求があった場合に、既に接続されている移動通信装置の前記アクセスゲートウェイ装置において決定された通信保障時間と、前記既に接続されている移動通信装置の通信継続時間とに基づいて、前記新たにアクセス要求を行った移動通信装置と、前記既に接続されている移動通信装置とに割り当てる無線リソースを調整するステップを備える無線リソース管理方法。
【００８３】
（付記１５）新たに割り当てる無線リソースがない状態において、新たに移動通信装置からアクセス要求があった場合に、既に接続されている移動通信装置の前記アクセスゲートウェイ装置において決定された通信保障時間と、前記既に接続されている移動通信装置の通信継続時間とに基づいて、前記新たにアクセス要求を行った移動通信装置と、前記既に接続されている移動通信装置とに割り当てる無線リソースを調整するステップをコンピュータに実行させるプログラム。
【符号の説明】
【００８４】
１０  移動通信装置
１１  移動通信装置
２０  アクセス装置
２１  無線リソース管理部
２２  アクセス管理部
２３  パケット転送部
３０  アクセスゲートウェイ装置
３１  通信保障時間決定部
３２  Ｃ−ｐｌａｎｅ機能部
３３  Ｕ−ｐｌａｎｅ機能部
４０  モバイルアンカー装置
５０  移動通信装置
５１  移動通信装置
６０  ｅＮｏｄｅＢ
７０  ＭＭＥ
８０  Ｓｅｒｖｉｎｇ ＧＷ
９０  ＰＤＮ ＧＷ
【図１】
2013066122.tif 000003
【図２】
2013066122.tif 000004
【図３】
2013066122.tif 000005
【図４】
2013066122.tif 000006
【図５】
2013066122.tif 000007
【図６】
2013066122.tif 000008
【図７】
2013066122.tif 000009
【図８】
2013066122.tif 000010
【図９】
2013066122.tif 000011
【図１０】
2013066122.tif 000012